(57)【要約】      （修正有）【課題】スロットロッドのリサイクル性を良くするために、トレーサマークを簡単、容易に除去できるように、その表示を工夫すること。【解決手段】トレーサマークが小さい密着力でスロットロッド１のリブ３の外周面３ａに密着した表示であり、光ファイバテープ心線１１をスロットロッド１のスロット２に集合させる工程においてトレーサマークを形成し、上記トレーサマークを形成した直後に押え巻き１２し、外皮１３被覆を施した光ファイバケーブル。【選択図】図２
2005121676.tif 000002
【特許請求の範囲】
【請求項１】
トレーサマークが小さい密着力でスロットロッドのリブの外周面に密着した表示であり、
光ファイバテープ心線をスロットロッドのスロットに集合させる工程においてトレーサマークを形成し、上記トレーサマークを形成した直後に押え巻きし、外皮被覆を施した光ファイバケーブル。
【請求項２】
上記トレーサマークが線状リボンを粘着剤でスロットロッドのリブの外周面に密着させて形成したものである、請求項１の光ファイバケーブル。
【請求項３】
上記線状リボンのスロットロッドのリブの外周面との密着力が１ｇｆ〜１００ｇｆである、請求項２の光ファイバケーブル。
【請求項４】
上記トレーサマークが着色粉体をスロットロッドのリブの外周面に密着させて形成したものである、請求項１の光ファイバケーブル。
【請求項５】
押し出し金型から押し出されたスロットロッドのスロットに光ファイバテープ心線を集合し、その直後にスロットロッドのリブの外周面に小さい密着力で線状リボン又は着色粉体を密着させてトレーサマークを形成し、次いで押え巻きし、さらに外皮を被覆する、光ファイバケーブルの製造方法。
【発明の詳細な説明】
【技術分野】
【０００１】
この発明は、スロットロッド型光ファイバケーブルに関するものであり、スロットロッドのリサイクル性をよくするものである。
【背景技術】
【０００２】
スロットロッド型光ファイバケーブルは、合成樹脂製のスロットロッドのヘリカル状のスロットに多数の光ファイバテープ心線又は光ファイバ心線（以下光ファイバともいう）をそれぞれ嵌め込み(集合し)、その上から押え巻きして光ファイバテープ心線を固定し、その上からケーブル外皮で被覆したものである。
そして、光ファイバの接続作業などの便宜のために多数のスロットの各々を特定できるように、スロットロッドのリブの外周面に表示が成されており、その１例が特開２０００−３４１２０２号公報に記載されている。
このものは、図１に示すようなものであり、スロットロッド１の押し出し成形工程において、一つのスロット２を挟んだ左右のリブ３，３の外周面３ａに線状のトレーサマークをして、これを一番スロットとしている。また、上記スロット２の左側のリブ３のトレーサマークを一本の線状表示４ａとし、右側のリブのトレーサマークを二本の線状表示４ｂとし、二本の線状表示４ｂの隣のスロットを２番スロットとし、更にその隣のスロットを順次、第３番スロット、第４番スロットとしている。
スロットロッド１は押し出し成形されるものであり、この押し出し成形時に着色された溶融樹脂をそのリブの外周面３ａに塗布（付着）して上記の着色表示を形成している。このように、押し出し成形時にトレーサマークが付されたスロットロッドのスロット２に光ファイバテープ心線１１が集合され、押え巻き１２で押えられ、外皮（シース）１３で被覆される。（図２参照）
上記従来例の他に様々な方法でトレーサマークが成されるが、いずれの場合も、スロットロッド成形時に着色溶融樹脂を上記リブの外周面に塗布（付着）することによって表示される。
【０００３】
ところで、スロットロッドを溶融させて再使用するとき、スロットロッドはその素材がポリエチレン（ＰＥ）であって白色であり、トレーサマークの着色樹脂は通常は黒色である。そして、このトレーサマークの黒色材料は分離ができないために再溶融された樹脂は着色樹脂が混入して灰色になり、したがって、リサイクルには適しないものになる。このことを回避するには、着色した部分を予め除去する他はないが、しかし、押し出し成形時に着色樹脂を塗布（溶融付着）したトレーサマーク部分を除去することは容易なことではなく、リサイクルのために着色部分を除去することはコストの面から極めて問題である。
【特許文献１】特開２００２−３４１２０２号公報
【発明の開示】
【発明が解決しようとする課題】
【０００４】
この発明は、スロットロッドのリサイクル性を良くするために、トレーサマークを簡単、容易に除去できるように、その表示を工夫することをその課題とするものである。
【課題を解決するための手段】
【０００５】
上記課題解決のために講じた手段は、次の（イ）（ロ）（ハ）によって構成されるものである。
（イ）トレーサマークが小さい密着力でスロットロッドのリブの外周面に密着した表示であること、
（ロ）光ファイバテープ心線をスロットスロッドのスロットに集合させる工程においてトレーサマークを形成したものであること、
（ハ）上記トレーサマークを形成した直後に押え巻きし、外皮被覆を施したものであること。
〔作用〕
【０００６】
トレーサマークは着色溶融樹脂によらないで、スロットロッドのリブの外周面に小さな密着力で、例えば、テープ、微粉体を密着させて形成したものであるから、簡単、容易に除去される。したがって、トレーサマークの存在がスロットロッドのリサイクル性の阻害原因になることはない。
他方、トレーサマークはスロットロッド表面に対して小さい密着力で付着しているものであるが、光ファイバをスロットに集合させる工程においてスロットロッド表面に表示され、表示された直後に押え巻きテープでカバーされ、外皮が被覆されるので、小さい密着力で付着したものであるにもかかわらず、トレーサマークが脱落、損傷することはない。他方、光ファイバの接続作業等における口出し等のために押え巻きテープが取り除かれるとき、トレーサマークがスロットロッド表面から落ちることはない。何故なら、トレーサマークはスロットロッド表面に密着しており、押え巻きテープには密着していないからである。
〔実施態様１〕
【０００７】
実施態様１は、線状リボンを粘着剤でスロットロッドのリブの外周面に貼着させて上記トレーサマークを形成したものである。
なお、この線状リボンは細い線条体、テープ状体のいずれでもよく、ある程度の抗張力を有することが必要である。
〔作用〕
【０００８】
線状リボンの色或いは幅を違えることによって、異なる表示をすることができる。
他方、線状リボンを粘着剤でスロットロッドのリブの外周面に貼着したものであるから、線状リボンは簡単、容易に剥離される。
したがって、線状リボンによるトレーサマークは、スロットロッドから簡単に分離される。
〔実施態様２〕
【０００９】
実施態様２は、実施態様１における線状リボンのスロットロッドのリブの外周面との密着力Ｆが１ｇｆ〜１００ｇｆであることである。
〔作用〕
【００１０】
上記密着力Ｆが１ｇｆよりも小さいと、トレーサマークが容易に剥離するので、押え巻きで押えられる工程で位置ずれを生じるなどの不都合を生じることがある。他方、密着力Ｆが１００ｇｆを越えると、その剥離除去が容易でなく、除去されないで一部が残る可能性があるので、除去作業の信頼性が低下する。
なお、上記密着力は、図３に示すような剥離試験を行って規定されるものであり、因みにいえば、トレーサマークを表示する線状リボンを密着面に対して直角に引っ張って、徐々に引張力を高めて、線状リボンが密着面から剥離し始めるときの、上記引張力である。
〔実施態様３〕
【００１１】
実施態様３は、上記トレーサマークを、着色粉体をスロットロッドのリブの外周面に密着させて形成したことである。
粉体は黒色であることが望ましく、また、着色粉体を帯電させることでこれを小さい密着力でスロットロッドのリブの外周面に密着させることができ、或いは粘着性が低い粘着剤をスロットロッドのリブの外周面に塗布し、これに着色粉体を粘着させることもできる。
【発明の効果】
【００１２】
この発明による光ファイバケーブルのスロットロッドに付されたトレーサマークは、着色溶融樹脂の塗布（付着）によるものではなく、小さな付着力で密着されているものであるから、スロットロッドから簡単、容易に剥離される。したがって、光ケーブルの再資源化工程における再資源化処理を効率的に行うことができる。
【発明を実施するための最良の形態】
【００１３】
次いで、図面を参照つつ実施例を説明する。
〔実施例１〕
実施例は、線状リボンを密着させてトレーサマークを形成するものであり、線状リボンは厚さ０．０５μｍ、幅１．５ｍｍで、黒色の細いポリエチレンテープであり、その抗張力は約２５０ｇｆである。
線状リボンとしては、断面円形、楕円形等の線条リボンとすることもでき、また、素材としては、ポリエステル、ポリプロピレン等を用いることもできるが、スロットロッドとの密着の安定性の理由から、テープ状の線状リボンが最も好ましく、また、リサイクル効率、密着力等の理由から、素材としては、ポリエチレンが最も好ましい。
【００１４】
押し出し成形工程において、ポリエチレン製のスロットロッドの一対のリブの外周面に粘着剤を塗布し、光ファイバテープ心線をスロットに集合した後に、上記リブの外周面に線状リボンを粘着させる。粘着剤としては、アクリル系などが適当であり、密着力が略２０ｇｆになる程度に、粘着剤の粘性、塗布量を調整する。
再資源化工程において線状リボンは簡単、容易に剥離される。このとき粘着剤がスロットロッドの表面に残存するが、粘着剤は、アクリル系であって、着色されていないので、ポリエチレン製スロットロッドの再資源化には問題ない。
【図面の簡単な説明】
【００１５】
【図１】（ａ）はトレーサマークが表示されたスロットロッドの平面図であり、（ｂ）はトレーサマークが形成されたスロットロッドの斜視図である。
【図２】外皮(シース)、押え巻きを一部除去したスロットロッドの斜視図である。
【図３】線状リボンの密着力Ｆの測定方法を示す模式図である。
【符号の説明】
【００１６】
１・・・スロットロッド
２・・・スロット
３・・・リブ
３ａ・・・リブの外周面
４ａ・・・一本の線状表示
４ｂ・・・二本の線状表示
１１・・・光ファイバテープ心線
１２・・・押え巻き
１３・・・外皮（シース）
【図１】
2005121676.tif 000003
【図２】
2005121676.tif 000004
【図３】
2005121676.tif 000005